(57)【要約】【課題】本発明は、自然で正しいスイングが身に付くゴルフ練習用器具を提供することを課題とする。【解決手段】ゴルフ練習用器具１Ａを、遮蔽部材２と、一端が前記遮蔽部材２に接続し、他端がゴルフクラブ１０のシャフト１０Ａに接続した中継部材５とで構成した。そしてさらに、前記遮蔽部材２の下方にヘッド１０Ｂを位置させた。かかる配置により、ボールを打つ際には、ゴルフプレーヤーの目と該ヘッド１０Ｂとの間に前記遮蔽部材２が介在することとなり、該ヘッド１０Ｂがゴルフプレーヤーから隠蔽され、目視できない。【選択図】図３
2010187983.tif 000002
【特許請求の範囲】
【請求項１】
ボールを打つ際に、ゴルフクラブのヘッドを使用者から目視できないようにするゴルフ練習用器具であって、
遮蔽部材と、
一端が前記遮蔽部材に取り付けられ、他端が前記ゴルフクラブのシャフトに取り付けられた中継部材と、
からなり、
該遮蔽部材を、使用者から該ゴルフクラブのヘッドが目視できないように、前記中継部材を介して該ゴルフクラブに固定したことを特徴とするゴルフ練習用器具。
【請求項２】
ボールを打つ際に、ゴルフクラブのヘッドを使用者から目視できないようにするゴルフ練習用器具であって、
遮蔽部材と、
先端に該遮蔽部材が接続され、ボールが置かれた地面に設置される支持基台と、
からなり、
該遮蔽部材を、使用者から該ゴルフクラブのヘッドが目視できないように、配置したことを特徴とするゴルフ練習用器具。
【請求項３】
前記ボールは、弾性材料からなり、外径が異なる複数のボールで構成されたゴルフ練習用ボールセットにおけるボールの何れかである請求項１又は請求項２記載のゴルフ練習用器具。
【請求項４】
外径が異なる複数のボールで構成されたゴルフ練習用ボールセットであって、
各ボールは、弾性材料からなることを特徴とするゴルフ練習用ボールセット。
【発明の詳細な説明】
【技術分野】
【０００１】
本発明は、ゴルフの上達を図るためのゴルフ練習用器具、及びゴルフ練習用ボールセットに関するものである。
【背景技術】
【０００２】
従来、ゴルフプレーヤーは、ボールを意図する方向へ正確に飛ばすべく、ゴルフクラブのヘッドの角度あるいはフェースの向きを強く意識してスイングしていた。また、そのような意識を強く持たせる指導がよく行われていた（例えば、特許文献参照。）。したがって、ゴルフプレーヤーは、アドレス時にヘッドの角度あるいはフェースの向きを気にしたり、インパクト時のヘッドをできるかぎり注視しようとしたり、インパクト時の手首の角度を注意したり、あるいはアイアン使用時にはロフト角度に注意してスイングしたりしていた。
【先行技術文献】
【特許文献】
【０００３】
【特許文献１】特開２００９−１１７７４号公報
【発明の概要】
【発明が解決しようとする課題】
【０００４】
しかしながら、ボールを打つ際にヘッドの角度等を強く意識しすぎると、かえってインパクトが不正確となり、ミスショットが増えることがあった。そこで、本発明者らはかかる問題を分析し、鋭意検討の結果、次の考えに至った。すなわち、打つ際にヘッドを強く意識することは、かえって誤ったスイングイメージを先行させがちとなり、自然でシンプルな正しいスイングの妨げとなるという考えである。例えば、アイアン使用時においては、そのロフト角度が気に掛かってしまうことにより、不自然にボールをすくい上げるスイングフォームになったり、逆に不自然に上から振り下ろして叩き付けるようなスイングフォームになったりする。
【０００５】
そこで、本発明は、上記問題に鑑みてなされたものであり、ゴルフプレーヤーの意識から不必要なスイングイメージを排除し、正しいスイング感覚をゴルフプレーヤー自身で呼び起こすことができるゴルフ練習用器具を提供することを目的とする。また、室内においても上述のような正しいスイング感覚を呼び起こす練習が可能となるゴルフ練習用ボールセットを提供することを目的とする。
【課題を解決するための手段】
【０００６】
本発明は、ボールを打つ際に、ゴルフクラブのヘッドを使用者（ゴルフプレーヤー）から目視できないようにするゴルフ練習用器具であって、遮蔽部材と、一端が前記遮蔽部材に取り付けられ、他端が前記ゴルフクラブのシャフトに取り付けられた中継部材と、からなり、該遮蔽部材を、使用者から該ゴルフクラブのヘッドが目視できないように、前記中継部材を介して該ゴルフクラブに固定したことを特徴とするゴルフ練習用器具である。換言すれば、前記中継部材を介してゴルフクラブに固定された遮蔽部材の下方に該ゴルフクラブのヘッドが位置しており、前記ゴルフクラブでボールを打つ際に、使用者の目と該ゴルフクラブのヘッドとの間に前記遮蔽部材が介在することにより、該ヘッドが使用者から隠蔽される構成である。
【０００７】
かかる構成としてボールを打つ練習を行うと、アドレス時又はインパクト時にヘッドがゴルフプレーヤーからは隠れて見えないため、ゴルフプレーヤーはヘッドの角度等を意識しすぎることがなくなり、自然なスイングが無意識に行える。このため、ゴルフプレーヤーの意識から不必要なスイングイメージが排除され、正しいスイング感覚をゴルフプレーヤー自身で呼び起こすことが可能となる。例えば、本発明によれば、ゴルフプレーヤーは金槌で真横からボールを叩くイメージでスイングすることが可能となり、自然でシンプルなスイングが身につく。
【０００８】
また、本発明は、ボールを打つ際に、ゴルフクラブのヘッドを使用者から目視できないようにするゴルフ練習用器具であって、遮蔽部材と、先端に該遮蔽部材が接続され、ボールが置かれた地面に設置される支持基台と、からなり、該遮蔽部材を、使用者から該ゴルフクラブのヘッドが目視できないように、配置したことを特徴とするゴルフ練習用器具である。換言すれば、ゴルフクラブでボールを打つ際に、使用者の目と該ゴルフクラブのヘッドとの間に、前記支持基台に支持された前記遮蔽部材が介在することにより、該ヘッドが使用者から隠蔽される構成である。
【０００９】
上記のように目視できない状態でボールを打つ練習を行うと、アドレス時又はインパクト時にヘッドがゴルフプレーヤーから隠れて見えないため、上記本発明と同様の作用が生ずる。
【００１０】
また、前記ボールは、弾性材料からなり、外径が異なる複数のボールで構成されたゴルフ練習用ボールセットにおけるボールの何れかである構成としてもよい。
【００１１】
かかる構成の練習用のボールは、クッション性を有するため、室内で安全に練習することができる。また、該ボールはプラスチック製のボールに比して手応えのある打球感を感じながら練習できるため、ゴルフプレーヤーは飽きることがない。また、通常のゴルフボールより大きいボールを打つ際のスイングは、比較的自然でシンプルなスイングとなるため、最初に大きいボールで練習し、熟達に従って徐々に小さいボールを使って練習すると、正しいスイングが身につきやすい利点もある。
【００１２】
また、本発明は、外径が異なる複数のボールで構成されたゴルフ練習用ボールセットであって、各ボールは、弾性材料からなることを特徴とするゴルフ練習用ボールセットである。
【００１３】
かかるゴルフ練習用ボールセットのボールを用いて練習することにより、室内で安全に飽きることなく正しいスイングを身につけることができる。
【発明の効果】
【００１４】
本発明は、不自然なスイングが矯正され、自然で正しいスイングを身につけることができる優れた効果がある。
【図面の簡単な説明】
【００１５】
【図１】ゴルフ練習用器具１Ａの側面図である。
【図２】ゴルフ練習用器具１Ａの平面図である。
【図３】ゴルフ練習用器具１Ａの使用状態を示す側面図である。
【図４】ゴルフ練習用器具１Ａの使用状態を示す平面図である。
【図５】ゴルフ練習用器具１Ｂの使用状態を示す側面図である。
【図６】ゴルフ練習用ボールセット１８を示す側面図である。
【発明を実施するための形態】
【００１６】
以下、本発明のゴルフ練習用器具を具体化した実施形態を、添付図面に従って説明する。
ゴルフ練習用器具１Ａは、ボールを打つ際（例えばアドレス時又はインパクト時）に、ゴルフクラブ１０のヘッド１０Ｂをゴルフプレーヤーから目視できないようにするものである。
さらに詳述すると、図１，２に示すように、該ゴルフ練習用器具１Ａは、平面視矩形の板材からなる不透明な遮蔽部材２と、これに接続された中継部材５とで構成されている。さらに前記中継部材５は、三部材で構成されており、中央に自在継手６を備え、その一端に第一クリップ５Ａが、他端に第二クリップ５Ｂが各々配設されている。具体的には、前記自在継手６は、いわゆるユニバーサルジョイントで構成されており、筒状のカバー６１の両端にボール部材６２が回転自在に嵌め込まれた構造となっている。また、前記両クリップ５Ａ，５Ｂは、先端部５１と後端部５２とを備え、一対の先端部５１で対象物を挟み込む公知構造のクリップが採用される。そして、前記の各ボール部材６２と、第一、第二クリップ５Ａ,５Ｂの各後端部５２とが連結されて中継部材５が構成されている。
【００１７】
さらに、図３，４に示すように、前記第一クリップ５Ａの先端部５１には、前記遮蔽部材２が挟まれて取り付けられている。また、第二クリップ５Ｂの先端部５１には、ゴルフクラブ１０のシャフト１０Ａが挟まれて取り付けられている。これにより、前記遮蔽部材２が前記中継部材５を介してゴルフクラブ１０に固定されている。さらに、かかる構成にあっては、遮蔽部材２の取付角度を、前記自在継手６を用いて適宜調整することができ、遮蔽部材２の下方に、該ゴルフクラブ１０のヘッド１０Ｂが位置する配置とし、遮蔽部材２により、ゴルフプレーヤーから該ヘッド１０Ｂが目視できないように設定されている。
【００１８】
そうすると、図３，４に示すように、本発明のゴルフ練習用器具１Ａを装着したゴルフクラブ１０でボール１２を打つ際には、そのボールインパクゴルフプレーヤーの目とヘッド１０Ｂとの間に前記遮蔽部材２が介在することになって、該ヘッド１０Ｂがゴルフプレーヤーから隠蔽されることとなる。したがって、ゴルフプレーヤーはヘッド１０Ｂの角度等を意識しすぎることがなくなるため、繰り返しこの状態でボール１２を打つ練習をすれば、ゴルフプレーヤーの意識から不必要なスイングイメージが排除され、正しいスイング感覚をゴルフプレーヤー自身で呼び起こすことが可能となる。例えば、ゴルフ練習用器具１Ａを使って練習すれば、アイアンのロフトを意識することなく、金槌で真横からボールを叩くイメージでスイングできる。
【００１９】
また、別態様のゴルフ練習用器具１Ｂが提案される。
該ゴルフ練習用器具１Ｂは、図５に示すように、先端に前記遮蔽部材２を備えた支持基台１５を備えている。該支持基台１５は、先端に前記遮蔽部材２が取り付けられた前記中継部材５と、該中継部材５の基端に取り付けられた杆状の棒材１５Ａとからなる。そして、該棒材１５Ａは、ボール１２が置かれた地面に突き刺されて起立している。そして、該遮蔽部材２の下方に、アドレス時又はインパクト時のヘッド１０Ｂが位置するように、該遮蔽部材２の配置が設定される。
【００２０】
かかる構成によっても、ボール１２を打つ際に、ゴルフプレーヤーの目とヘッド１０Ｂとの間に、前記遮蔽部材２が介在することとなり、ゴルフプレーヤーはヘッド１０Ｂを目視できず、不必要な意識を排除することができる。
【００２１】
なお、使用するボール１２は、図６に示すようなゴルフ練習用ボールセット１８に係るボール１８Ａ〜１８Ｃのうち何れかを用いてもよい。該ゴルフ練習用ボールセット１８のボール１８Ａ〜１８Ｃは、３つのボールで構成され、各ボールはゴム又はエラストマー材料からなる弾性材料で構成される。さらに、第一のボール１８Ａの外径Ｄ１は例えば約４１mm〜約４７ｍｍに設定され、第二のボール１８Ｂの外径Ｄ２は例えば約５１mm〜約５７ｍｍに設定され、第三のボール１８Ｃの外径Ｄ３は例えば約６６mm〜約７２ｍｍに設定される。望ましくは、ボール１８Ａの外径Ｄ１は４４ｍｍ、第二のボール１８Ｂの外径Ｄ２は５４ｍｍ、第三のボール１８Ｃの外径Ｄ３は６９ｍｍに設定される。なお、第三のボール１８Ｃは通常のゴルフボールと略等しいサイズであり、第一、第二のボール１８Ａ，１８Ｂはそれより大きい。
そして、上記ボール１８Ａ〜１８Ｃのうち、最初は最も大きい第三のボール１８Ｃを用いて繰り返し練習するのがよい。該第三のボール１８Ｃは通常のゴルフボールより大きいサイズであり、このような大きいボールを打つ際のスイングは、ヘッド１０Ｂを意識することなく、比較的自然でシンプルなスイングとなりやすいためである。そして、第三のボール１８Ｃを用いて繰り返し練習し、正しいスイングができるようになったら、その熟達に従って徐々に小さいボール１８Ａ，１８Ｂを順に使って練習するとよい。そうすると、正しいスイングが早く身につきやすく、最終的に通常のゴルフボールを打つ際にも正しいスイングができるようになる。なお、前記ボール１８Ａ〜１８Ｃはゴム又はエラストマー材料からなるため、クッション性があり、室内で安全に練習することができる。また、該ゴム又はエラストマー材料で構成すると、該ボール１８Ａ〜１８Ｃは手応えのある打球感を感じさせ得るものとなり、該ボール１８Ａ〜１８Ｃで練習すれば飽きにくい利点がある。  
【００２２】
なお、本発明は、上記実施例に限定されるものでなく、本発明の主旨を逸脱しない範囲で適宜設計変更することができる。
【産業上の利用可能性】
【００２３】
本発明は、ゴルフ練習用器具、及びゴルフ練習用ボールセットであり、ゴルフの上達を図る目的で使用可能であるから、産業上利用可能である。
【符号の説明】
【００２４】
１  ゴルフ練習用器具
２  ヘッド遮蔽板
５Ａ  第一クリップ
５Ｂ  第二クリップ
６  自在継手
１０  ゴルフクラブ
１０Ａ  シャフト
１０Ｂ  ヘッド
１２  ボール
１５  支持基台
１８  ゴルフ練習用ボールセット
１８Ａ〜１８Ｃ  ボール
【図１】
2010187983.tif 000003
【図２】
2010187983.tif 000004
【図３】
2010187983.tif 000005
【図４】
2010187983.tif 000006
【図５】
2010187983.tif 000007
【図６】
2010187983.tif 000008